(57)【要約】【課題】情報システムを実現手段とする主動的情報活動の効率化とその情報セキュリティの向上。【解決手段】意思を直接にデータで表現する情報形態と、利用状況の把握と利用形態のコントロールが可能となる仕組みと、その仕組みとその形態の情報を基にする情報システムを利用すること。【選択図】図５
2004318792.tif 000002
【特許請求の範囲】
【請求項１】
意思を直接にデータで表現した情報で意思の伝達を実現することを特徴とする情報の伝達方法。
【請求項２】
意思を直接にデータで表現した情報で意思の伝達を実現することを特徴とする情報システム。
【請求項３】
意思を伝えようとする人から、その人の感知器官で感知できる形態で表現してもらい、その人からその表現した結果を受取って理解し、主動的に質問などを作成してその人に与え、その人から回答してもらい、その人からの回答結果を受取って理解し、その人の意思に対する理解結果の正確性と完全性を自主的に確認し、最終的にその人の意思を正確に受取ることを特徴とする情報の作成方法。
【請求項４】
意思を伝えようとする人から、その人の感知器官で感知できる形態で表現してもらい、その人からその表現した結果を受取って理解し、主動的に質問などを作成してその人に与え、その人から回答してもらい、その人からの回答結果を受取って理解し、その人の意思に対する理解結果の正確性と完全性を自主的に確認し、最終的にその人の意思を正確に受取ることを特徴とする情報システム。
【請求項５】
人に伝えようとする意思を、その人の感知器官で感知できる形態で表現し、表現した情報をその人に与え、主動的に質問なども作成してその人に与え、その人から回答してもらい、その人からの回答結果を受取って理解し、その人の理解状況を自主的に確認し、最終的にその人に伝えようとする意思をその人に正確に伝えることを特徴とする情報の伝達方法。
【請求項６】
人に伝えようとする意思を、その人の感知器官で感知できる形態で表現し、表現した情報をその人に与え、主動的に質問なども作成してその人に与え、その人から回答してもらい、その人からの回答結果を受取って理解し、その人の理解状況を自主的に確認し、最終的にその人に伝えようとする意思をその人に正確に伝えることを特徴とする情報システム。
【請求項７】
人からその人が相手に伝えようとする情報を受け取り、自動的にその情報を利用状況の把握と利用形態のコントロールが可能となる状態に置き、その状態にある情報の利用手段を自動的に作成し、作成した利用手段を自主的にその相手に与え、その相手に与えられた利用手段でその人からの情報を利用させ、その相手の利用形態を自主的にコントロールしながらその相手の利用状況を自動的に記録し、記録したその利用状況をその人に自主的に報告することを特徴とする情報の伝達方法。
【請求項８】
人からその人が相手に伝えようとする情報を受け取り、自動的にその情報を利用状況の把握と利用形態のコントロールが可能となる状態に置き、その状態にある情報の利用手段を自動的に作成し、作成した利用手段を自主的にその相手に与え、その相手に与えられた利用手段でその人からの情報を利用させ、その相手の利用形態を自主的にコントロールしながらその相手の利用状況を自動的に記録し、記録したその利用状況をその人に自主的に報告することを特徴とする情報システム。
【請求項９】
請求項２の情報システムまたは、請求項４の情報システムまたは、請求項６の情報システムまたは、請求項８の情報システムの利用に必要な環境の提供と、その情報システムの利用可能な状態の確保とを商品とすることを特徴とするビジネス手法。
【請求項１０】
効率化手段として、請求項１の情報の伝達方法または、請求項３の情報の作成方法または、請求項５の情報の伝達方法または、請求項７の情報の伝達方法を利用した情報システムやその情報システムの利用を商品とすることを特徴とするビジネス手法。
【発明の詳細な説明】
【０００１】
【発明の属する技術分野】
本発明は、一般に、情報システムに関し、より詳細には、人や人の集団が他の人や人の集団や情報システムなどを相手にして主動的に行う情報活動の有効な実現手段とする情報システム及び、その情報システムの実現方法及び、その情報システムを業務手段とするビジネス手法に関する。
【０００２】
【従来の技術】
人の情報活動は、自分を相手にする情報活動と、他者を相手にする情報活動と、他者に相手とされる情報活動との三種類がある。社会の一員とする一般の人にとって、その最も重要な情報活動は、他者を相手にする主動的情報活動であると考えられる。図１は、主動的情報活動及びその構成要素を示す図である。主動的情報活動は、主動的者と主動的目標と主動的情報と主動的実現手段と受動的実現手段と受動的情報と受動的効果と受動的者という要素で構成される。主動的者は、主動的に情報活動を行う人や人の集団である。主動的目標は、主動的者に求められる効果や結果である。主動的情報は、主動的者が主動的に作成し、相手に伝える情報である。主動的実現手段は、主動的者がその情報を相手に伝えるための実現手段である。受動的実現手段は、相手がその意思を主動的者に伝えるための実現手段である。受動的結果は、主動的者が実際に得た効果や結果である。受動的者は、主動的者の情報活動の相手とされる他の人や人の集団や情報システムである。本発明は、人々に有効な主動的実現手段を提供することを、目的とする。
【０００３】
情報システムＳ１は、従来の主動的実現手段である。図２は、情報システムＳ１及びその構成要素を示す図である。情報システムＳ１は、表現手段Ｐ１１と伝達手段Ｐ１２と閲覧手段Ｐ１３という機能的要素と、主動情報Ｉ１２と主動情報Ｉ１３という情報的要素で構成される。表現手段Ｐ１１は、主動的者に操作され、その操作の通りに情報を作成するための実現手段である。伝達手段Ｐ１２は、主動的者からの情報を受取り、その情報を受動的者に伝えるための実現手段である。閲覧手段Ｐ１３は、受動的者に操作され、その操作の通りに情報を表現するための実現手段である。主動情報Ｉ１２は、主動的者が表現手段Ｐ１１を利用して作成した情報である。主動情報Ｉ１３は、主動的者が伝達手段Ｐ１２を通じて受動的者に伝えた情報である。
【０００４】
主動的者が情報システムＳ１を主動的実現手段として利用し、その意思を受動的者に伝えることの実現プロセスは、次の通りである。先ず、主動的者が表現手段Ｐ１１を利用して自分の意思Ｉ１１を主動情報Ｉ１２の内容として表現し、その表現結果を伝達手段Ｐ１２に与えることである。次に、伝達手段Ｐ１２が、主動的者から受取った主動情報Ｉ１２を受動的者に伝えることである。最後に、受動的者が閲覧手段Ｐ１３で伝達手段Ｐ１２から受取った主動情報Ｉ１３を閲覧し、理解することである。主動的意思Ｉ１４がその理解結果である。受動的者が主動的意思Ｉ１４を主動的者の意思として受取る。
【０００５】
従来の情報システムＳ１で処理される情報の形態は、形態Ｒとする。図３は、形態Ｒの情報及びその構成要素を示す図である。形態Ｒの情報は、データと表現と意思と規格と解釈という要素で構成される。意思は、情報の作成者の頭脳に反映される情報の内容である。表現は、人の感知器官に感知される情報の存在形態である。その存在形態は、文字や記号であり、図画であり、映像であり、音声であり、または、その複合である。データは、情報システムにおける情報の存在である。解釈は、意思と表現との対応関係である。規格は、表現とデータとの対応関係である。
【０００６】
従来の情報システムＳ１の特徴一は、意思伝達を実現する前提条件として、主動情報Ｉ１３の表現が主動情報Ｉ１２の表現と一致させることである。然し、情報システムＳ１がその表現の一致性を確保できるにも係わらず、受動的者の理解結果とした主動的意思Ｉ１４と本来の主動的意思Ｉ１１との一致性が確保されていない現状である。主動的者と受動的者との間におけるその意思の不一致が、主動的情報活動の効率に悪影響を与える最大の要因であると考えられる。
【０００７】
従来の情報システムＳ１の特徴二は、その情報の規格が一般に公開されていること。規格が公開されている結果として、多くの人が、情報システムＳ１またはその一部分の実現や運営などを、独自の判断で分担することができるようになる。然し、その反面、伝達手段Ｐ１２を通じて伝えられる情報に対し、伝える過程で、他者による情報の盗み見や改ざんなどが可能となる。
【０００８】
伝えられる情報の盗み見や改ざんなどの問題を克服するため、その情報のデータを別のものにする暗号化技術が多く開発された。暗号化されたデータが元の状態に戻されなければ、その正しい表現が得られない。然し、暗号化されたデータの表現が無意味のものしか見えないので、暗号化されたこと自体が簡単に見破れる現状である。
【０００９】
更に、伝えられる情報に含まれている主動的者と受動的者の位置識別情報が、伝達手段に必要とされるので、暗号化されることができない。そのため、主動的者と受動的者との関係やその送受信事実などの情報に対し、伝える過程で、他者による盗み見や改ざんなどが可能となる。
【００１０】
従来の情報システムＳ１の特徴三は、閲覧手段Ｐ１３で、いつ、何を閲覧するかについて、受動的者の次第である。受動的者にとって、当然には、自分の使い勝手のよい閲覧手段を望んでいる。然し、その反面、受動的者に伝えた情報がいつ閲覧されたかどうかなどの利用状況の把握とその利用形態のコントロールが、主動的者にとって、極めて困難である。
【００１１】
図４は、従来の電子メール伝達システム及びその構成要素を示す図である。その電子メール伝達システムは、情報システムＳ１の一つの実例である。送信者がメール作成ソフトで電子メールを作成し、電子メールの送受信経路を通じて送信する。受信者が、電子メールの送受信経路から受取った電子メールを、メール閲覧ソフトで閲覧し、その内容を理解する。その電子メールには、送受信経路を特定するための位置識別情報と、送受信経過を記録するための情報と、受信者へのメッセージが含まれる。受信者へのメッセージには、件名と、本文と、添付ファイルが含まれる。送受信過程で起こり得る電子メールに対する盗み見や改ざんなどの侵害を防ぐために、メッセージを暗号化して送信することも可能である。然し、現状一は、電子メールの送受信経路を特定するための位置識別情報と、電子メールの送受信経過を記録するための情報をメッセージと同様に暗号化することができない。現状二は、メッセージをデータとして暗号化するので、結果的に暗号文が無意味の文字配列となり、意味ある原文と簡単に見分けられる。現状三は、送信した電子メールの送受信経路情報が利用され、大量のダイレクトメールやウィルス付きのメールなどが送り付けられることも考えられる。現状四は、受信者が何らかの反応を返してくれなければ、送信した電子メールの利用状況が把握できない。現状五は、送信した電子メールに対する他人への転送禁止や、コピー禁止や、印刷禁止や、保存制限や、閲覧回数制限や、閲覧時間制限などの利用制限ができない。
【００１２】
【発明が解決しようとする課題】
従来の情報システムＳ１を主動的実現手段とする場合に発生する意思伝達の効率化問題と情報のセキュリティ問題などは、本発明が解決しようとする課題である。より詳細的にいえば、その課題一は、主動的者が伝えようとした意思と受動者が理解した主動的者の意思とを一致させること。その課題二は、主動的者が受動的者に送信した情報のセキュリティを高めること。その課題三は、主動的者が相手に伝えた情報の利用状況の把握と利用形態のコントロールとを実現すること。そして、本発明の情報システムを利用して、効果的な新しいビジネスと従来のビジネスの効率化を実現すること。
【００１３】
【課題を解決するための手段】
本発明では、情報システムＳ２を主動的実現手段とすることが、従来の情報システムＳ１を利用する場合に発生する意思伝達の効率化問題と情報のセキュリティ問題などを解決するための手段とする。
【００１４】
図５は、本発明の情報システムＳ２及びその構成要素を示す図である。情報システムＳ２は、導出手段Ｐ２１と伝達手段Ｐ２２と閲覧手段Ｐ２３と導入手段Ｐ２４と管理手段Ｐ２５と閲覧手段Ｐ２６という機能的要素と、主動意思Ｉ２２と通知情報Ｉ２３と主動意思Ｉ２６と状況報告Ｉ２７という情報的要素で構成される。導出手段Ｐ２１は、意思を情報の内容として外部に導出するための実現手段である。伝達手段Ｐ２２は、情報を伝達するための実現手段である。閲覧手段Ｐ２３は、受取った情報を表現するための実現手段である。導入手段Ｐ２４は、情報の内容とする意思を受取るための実現手段である。管理手段Ｐ２５は、情報の伝達と情報の利用状況の把握と情報の利用形態のコントロールとの実現手段である。閲覧手段Ｐ２６は、受取った情報を表現するための実現手段である。主動意思Ｉ２２は、主動的者に作成される情報である。その内容は、主動的者が相手に伝えようとする意思である。通知情報Ｉ２３は、管理手段Ｐ２５が自動的に作成した情報である。その内容は導入手段Ｐ２４となるソフトウェアである。主動意思Ｉ２６は、管理手段Ｐ２５の管理対象となる情報である。その内容は、主動的者が相手に伝えようとする意思である。状況報告Ｉ２７は、管理手段Ｐ２５が自動的に作成した情報で、その内容は情報の伝達状況である。
【００１５】
情報システムＳ２を主動的実現手段とする主動的者が、次のプロセスで、自分の意思を受動的者に伝えることを実現する。先ず、主動的者が導出手段Ｐ２１を利用して、自分の意思Ｉ２１を情報の内容として外部に導出する。主動的者がその導出した結果とする主動意思Ｉ２２を伝達手段Ｐ２２経由に管理手段Ｐ２５に与える。次に、管理手段Ｐ２５が主動的者から受取った主動意思Ｉ２２を管理対象の主動意思Ｉ２６にして、管理状態に置かれる主動意思Ｉ２６を受動的者に伝えるためのソフトウェアを自動的に作成して、そのソフトウェアを通知情報Ｉ２３の内容として伝達手段Ｐ２２経由に受動的者に送信する。最後に、受動的者が管理手段Ｐ２５から受取った通知情報Ｉ２３を開くと、導入手段Ｐ２４が自動的に構築される。受動的者が導入手段Ｐ２４を利用して、伝えられる意思を受取る。
【００１６】
情報システムＳ２を主動的実現手段とする主動的者が、次のプロセスで、意思の伝達状況を把握する。先ず、管理手段Ｐ２５が主動意思Ｉ２６の伝達状況を自動的に伝達手段Ｐ２２経由に主動的者に報告する。次に、主動的者が閲覧手段Ｐ２６で受取ったが状況報告Ｉ２７を閲覧し、意思の伝達状況を把握する。
【００１７】
図６は、本発明の情報システムＳ２の構成要素Ｐ２１である意思導出手段Ｓ３及びその構成要素を示す図である。意思導出手段Ｓ３は、表現手段Ｐ３１と理解手段Ｐ３２と質問手段Ｐ３３と解答手段Ｐ３４という機能的要素と、意思表現Ｉ３２と確認事項Ｉ３４と解答結果Ｉ３７という情報的要素で構成される。意思導出者がその意思Ｉ３１を表現手段Ｐ３１で表現し、理解手段Ｐ３２にその意思表現Ｉ３２を伝える。理解手段Ｐ３２が意思導出者からの意思表現Ｉ３２を受取って理解し、理解結果の正しさと完全さを確認する。そのため、理解手段Ｐ３２が質問などの確認事項Ｉ３４を作成し、質問手段Ｐ３３を通じて、意思導出者に質問する。意思導出者が理解手段Ｐ３２から受取った確認事項Ｉ３４を通じて、自分の意思Ｉ３１に対する理解手段Ｐ３２の理解状況Ｉ３５及び必要な校正内容Ｉ３６を把握し、解答手段Ｐ３４を通じて解答結果Ｉ３７を理解手段Ｐ３２に伝える。理解手段Ｐ３２が理解と確認と校正というプロセスを通じて、最終的に、導出者本来の意思Ｉ３１と一致する外部に存在する形態の意思Ｉ３３を得る。
【００１８】
図７は、本発明の情報システムＳ２の構成要素Ｐ２４である意思導入手段Ｓ４及びその構成要素を示す図である。意思導出手段Ｓ４は、伝導手段Ｐ４１と閲覧手段Ｐ４２と質問手段Ｐ４３と解答手段Ｐ４４という機能的要素と、意思表現Ｉ４２と確認事項Ｉ４４と解答結果Ｉ４７という情報的要素で構成される。伝導手段Ｐ４１が意思導入者に導入させようとした外部に存在する形態の意思Ｉ４１を表現し、意思導入者にその意思表現Ｉ４２を伝える。意思導入者が伝導手段Ｐ４１からの意思表現Ｉ４２を受取って理解する。伝導手段Ｐ４１が、意思導入者の理解結果とした意思Ｉ４３の正しさと完全さを確認する。そのため、伝導手段Ｐ４１が質問などの確認事項Ｉ４４を作成し、質問手段Ｐ４３を通じて、意思導入者に質問する。意思導入者がその理解した結果Ｉ４３を基に伝導手段Ｐ４１から受取った確認事項Ｉ４４を回答する。意思導入者がその答えＩ４６を解答手段Ｐ４４で表現し、表現した結果Ｉ４７を伝導手段Ｐ４１に伝える。伝導手段Ｐ４１が解説と確認と校正というプロセスを通じて、最終的に、導入者の意思Ｉ４３と導入させようとした意思Ｉ４１を一致させる。
【００１９】
情報システムＳ２では、主動的者が相手に伝えようとする意思を形態Ｍの情報で表現する。図８は、本発明の形態Ｍの情報及びその構成要素を示す図である。形態Ｍの情報は、データと意思と規格という要素で構成される。意思は、情報の作成者の頭脳に反映される情報の内容である。データは、情報システムＳ２における情報の存在である。規格は、意思とデータとの対応関係である。
【００２０】
従来の情報システムＳ１において、データは意思の表現を表現するための存在である。人によってその表現に対する解釈結果は、互いに違っている。つまり、意思を形態Ｒの情報で表現する場合に、伝達の過程でいずれも意思的誤差が生じてしまう。その誤差は、意思の伝達効率に悪影響をもたらす最大の要因であると考えられる。本発明の情報システムＳ２において、データは意思を直接に表現するための存在でもある。そのため、情報システムＳ１における意思の誤差をもたらす要因は、情報システムＳ２では存在しない。
【００２１】
本発明の情報システムＳ２では、主動的者の伝達手段Ｐ２２から受動的者の受信手段Ｐ２３に伝送するものは、本来の情報ではなく、その情報を受けるための知らせである。その知らせとなる通知情報Ｉ２４には、主動的者の意思とその位置識別情報が含まれていない。そのため、本来の情報を直接伝送する場合に起こり得る盗み見や改ざんなどの侵害が極めて困難となる。
【００２２】
本発明の情報システムＳ２では、主動的者からの情報を受動的者に伝えることは、管理手段Ｐ２５のコントロールの下で行う。それによって、主動的者は、その伝達状況の把握とその伝達導入のコントロールを実現することができる。
【００２３】
本発明の情報システムＳ２では、暗号化したデータから意思を導出された場合、その結果は別の意思となる。意思の導入者にとって、従来の情報システムＳ１における無意味の文字配列のような見分けが全く得られないので、暗号化されたかどうかの判別さえも極めて困難である。
【００２４】
本発明のビジネス一は、情報システムＳ２の利用に必要な環境の提供と、情報システムＳ２の利用可能な状態の確保とを商品とするビジネスである。
【００２５】
本発明のビジネス二は、効率化手段として情報システムＳ２を利用する新しい形態の従来のビジネスである。
【００２６】
【発明の実施の形態】
本発明の実施は、既存の情報システムＳ１に本発明の一部分の手法を取り入れて補完することと、情報システムＳ２を実現することと、補完した情報システムＳ１または実現した情報システムＳ２を利用することとの三つのことがあると考えられる。
【００２７】
情報システムＳ５は、本発明の実施状態一である。情報システムＳ５は、既存の情報システムＳ１に本発明の一部分の手法を取り入れて補完する形で、本発明を実施したものである。図９は、情報システムＳ５及びその構成要素を示す図である。主動的者は、情報システムＳ５を利用して、相手に情報を伝えることと、その情報の利用状況を把握することと、その情報の利用形態をコントロールすることなどを実現する。
【００２８】
情報システムＳ５は、表現手段Ｐ５１と伝達手段Ｐ５２と管理手段Ｐ５３と閲覧手段Ｐ５４と閲覧手段Ｐ５５と閲覧手段Ｐ５６という機能的要素と、主動情報Ｉ５２と主動情報Ｉ５３と通知情報Ｉ５４と状況報告Ｉ５７という情報的要素で構成される。表現手段Ｐ５１は、形態Ｒの情報を作成するための実現手段である。伝達手段Ｐ５２は、情報を伝達するための実現手段である。管理手段Ｐ５３は、情報の伝達と情報の利用状況の把握と情報の利用形態のコントロールとの実現手段である。閲覧手段Ｐ５４は、形態Ｒの情報を表現するための実現手段である。閲覧手段Ｐ５５は、形態Ｒの情報を表現するための実現手段である。閲覧手段Ｐ５６は、形態Ｒの情報を表現するための実現手段である。主動情報Ｉ５２は、主動的者が作成した情報である。主動情報Ｉ５３は、管理手段Ｐ５３に管理される情報である。通知情報Ｉ５４は、情報を利用するための案内である。状況報告Ｉ５７は、情報の利用状況に関する報告である。
【００２９】
主動的者が情報システムＳ５を利用して次のプロセスで相手にその情報を伝えることを実現する。先ず、主動的者が表現手段Ｐ５１を利用して、自分の意思Ｉ５１を情報の内容として表現する。主動的者がその作成した情報を伝達手段Ｐ５２経由に管理手段Ｐ５３に与える。次に、管理手段Ｐ５３が主動的者から受取った情報Ｉ５２を管理対象の主動情報Ｉ５３にして、管理状態にある主動情報Ｉ５３を受動的者に伝えるためのソフトウェアを自動的に作成して、そのソフトウェアを通知情報Ｉ５４の内容として伝達手段Ｐ５２経由に受動的者に送信する。最後に、受動的者が管理手段Ｐ５３から受取った通知情報Ｉ５４を開くと、専用の閲覧手段Ｐ５５が自動的に構築される。受動的者が閲覧手段Ｐ５５を利用して、伝えられる情報を閲覧し、理解する。
【００３０】
情報システムＳ５を主動的実現手段とする主動的者が、次のプロセスで、情報の伝達状況を把握する。先ず、管理手段Ｐ５３が主動情報Ｉ５３の伝達状況を自動的に伝達手段Ｐ５２経由に主動的者に報告する。次に、主動的者が閲覧手段Ｐ５６で受取った状況報告Ｉ５７を閲覧し、情報の伝達状況を把握する。
【００３１】
情報システムＳ７は、本発明の実施状態二である。情報システムＳ７は、既存の情報システムＳ１に本発明の一部分の手法を取り入れて補完する形で、本発明を実施したものである。図１０は、情報システムＳ７及びその構成要素を示す図である。主動的者は、情報システムＳ７を利用して、相手に情報を伝えることと、その情報の利用状況を把握することと、その情報の利用形態をコントロールすることと、相手からの情報を受取ることなどを実現する。
【００３２】
情報システムＳ７は、表現手段Ｐ７１と伝達手段Ｐ７２と管理手段Ｐ７３と閲覧手段Ｐ７４と閲覧手段Ｐ７５と閲覧手段Ｐ７６と表現手段Ｐ７７と閲覧手段Ｐ７８という機能的要素と、主動情報Ｉ７２と主動情報Ｉ７３と通知情報Ｉ７４と状況報告Ｉ７７と受動情報Ｉ７Ａと受動情報Ｉ７Ｂと受動情報Ｉ７Ｃという情報的要素で構成される。表現手段Ｐ７１は、形態Ｒの情報を作成するための実現手段である。伝達手段Ｐ７２は、情報を伝達するための実現手段である。管理手段Ｐ７３は、情報の伝達と情報の利用状況の把握と情報の利用形態のコントロールとの実現手段である。閲覧手段Ｐ７４は、形態Ｒの情報を表現するための実現手段である。閲覧手段Ｐ７５は、形態Ｒの情報を表現するための実現手段である。閲覧手段Ｐ７６は、形態Ｒの情報を表現するための実現手段である。表現手段Ｐ７７は、形態Ｒの情報を作成するための実現手段である。閲覧手段Ｐ７８は、形態Ｒの情報を表現するための実現手段である。主動情報Ｉ７２は、主動的者が作成した情報である。主動情報Ｉ７３は、管理手段Ｐ７３に管理される情報である。通知情報Ｉ７４は、情報を利用するための案内である。状況報告Ｉ７７は、情報の利用状況に関する報告である。受動情報Ｉ７Ａは、受動的者が作成した情報である。受動情報Ｉ７Ｂは、管理手段Ｐ７３に管理される情報である。受動情報Ｉ７Ｃは、主動的者に伝える受動的者からの情報である。
【００３３】
主動的者が情報システムＳ７を利用して次のプロセスで相手にその情報を伝えることを実現する。先ず、主動的者が表現手段Ｐ７１を利用して、自分の意思Ｉ７１を情報の内容として表現する。主動的者がその作成した情報を伝達手段Ｐ７２経由に管理手段Ｐ７３に与える。次に、管理手段Ｐ７３が主動的者から受取った情報Ｉ７２を管理対象の主動情報Ｉ７３にして、管理状態にある主動情報Ｉ７３を受動的者に伝えるためのソフトウェアを自動的に作成して、そのソフトウェアを通知情報Ｉ７４の内容として伝達手段Ｐ７２経由に受動的者に送信する。最後に、受動的者が管理手段Ｐ７３から受取った通知情報Ｉ７４を開くと、専用の閲覧手段Ｐ７５が自動的に構築される。受動的者が閲覧手段Ｐ７５を利用して、伝えられる情報を閲覧し、理解する。
【００３４】
情報システムＳ７を主動的実現手段とする主動的者が、次のプロセスで、情報の伝達状況を把握する。先ず、管理手段Ｐ７３が主動情報Ｉ７３の伝達状況を自動的に伝達手段Ｐ７２経由に主動的者に報告する。次に、主動的者が閲覧手段Ｐ７６で受取ったが状況報告Ｉ７７を閲覧し、情報の伝達状況を把握する。
【００３５】
情報システムＳ７を主動的実現手段とする主動的者が、次のプロセスで、受動的者からの情報を受取る。先ず、受動的者が表現手段Ｐ７７を利用して、受動情報Ｉ７Ａを作成し、伝達手段Ｐ７２経由に、管理手段Ｐ７３に伝える。次に、管理手段Ｐ７３が受動的者から受取って管理下に置く受動情報Ｉ７Ｂを自動的に伝達手段Ｐ７２経由に主動的者に伝える。最後に、主動的者が閲覧手段Ｐ７８で受取った受動情報Ｉ７Ｃを閲覧し、受動的者の意思を理解する。
【００３６】
【実施例】
本発明の実施例一は、情報システムＳ９である。情報システムＳ９は、電子メールを利用して主動的情報活動を行う主動的者に、その送信した電子メールの利用状況を的確に把握することとその電子メールの利用形態をコントロールすることとの実現手段を、送信した電子メールをその送信先に届けるという従来の実現手段と併せて、提供する。電子メールの利用状況とは、その電子メールの閲覧時刻や閲覧環境や閲覧回数や閲覧経過時間や閲覧流れなどに関する情報である。電子メールの利用形態のコントロールとは、その電子メールの閲覧時間と閲覧期間に対する制限や閲覧回数の制限やコピーと印刷と保存の制限や閲覧環境の制限や閲覧流れと操作の制限などのことである。
【００３７】
図１１は、情報システムＳ９のハードウェアとソフトウェアの構成を示すものである。情報システムＳ９の構成要素一は、情報端末Ｈ９１とＭａｉｌｅｒＰ９１である。情報端末Ｈ９１は、コンピューターシステムの端末やパーソナルコンピューターやパーソナルデータアダプターや電話機や携帯電話端末やゲーム機やセットトップボックスやデジタルテレビや情報家電などのものである。ＭａｉｌｅｒＰ９１は、情報端末Ｈ９１に搭載するソフトウェアで、電子メールの作成と管理と送受信などの機能を有するものである。
【００３８】
情報システムＳ９の構成要素二は、ＭａｉｌＳｅｒｖｅｒＨ９２とＭａｉｌＳｙｓｔｅｍＰ９２である。ＭａｉｌＳｅｒｖｅｒＨ９２は、コンピューターである。ＭａｉｌＳｙｓｔｅｍＰ９２は、ＭａｉｌＳｅｒｖｅｒＨ９２に搭載するソフトウェアで、多数の電子メールアカウントを管理し、電子メールの集配と保管などの処理を行うものである。
【００３９】
情報システムＳ９の構成要素三は、ＭａｉｌＳｅｒｖｅｒＨ９３とＭａｉｌＳｙｓｔｅｍＰ９３である。ＭａｉｌＳｅｒｖｅｒＨ９３は、コンピューターである。ＭａｉｌＳｙｓｔｅｍＰ９３は、ＭａｉｌＳｅｒｖｅｒＨ９３に搭載するソフトウェアで、多数の電子メールアカウントを管理し、電子メールの集配と保管などの処理を行うものである。
【００４０】
情報システムＳ９の構成要素四は、情報端末Ｈ９４とＭａｉｌｅｒＰ９４とＶｉｅｗｅｒＰ９５である。情報端末Ｈ９４は、コンピューターシステムの端末やパーソナルコンピューターやパーソナルデータアダプターや電話機や携帯電話端末やゲーム機やセットトップボックスやデジタルテレビや情報家電などのものである。ＭａｉｌｅｒＰ９４は、情報端末Ｈ９４に搭載するソフトウェアで、電子メールの作成と管理と送受信などの機能を有するものである。ＶｉｅｗｅｒＰ９５は、特定の電子メールの内容を閲覧するための専用のソフトウェアで、ＭａｉｌｅｒＰ９４が受信したものである。
【００４１】
情報システムＳ９の構成要素五は、ＭａｉｌＳｅｒｖｅｒＨ９５とＭａｉｌＳｙｓｔｅｍＰ９６とＷｅｂＳｅｒｖｅｒＨ９６と管理ＳｙｓｔｅｍＰ９７である。ＭａｉｌＳｅｒｖｅｒＨ９５は、コンピューターである。ＭａｉｌＳｙｓｔｅｍＰ９６は、ＭａｉｌＳｅｒｖｅｒＨ９５に搭載するソフトウェアで、多数の電子メールアカウントを管理し、電子メールの集配と保管などの処理を行うものである。ＷｅｂＳｅｒｖｅｒＨ９６は、コンピューターである。管理ＳｙｓｔｅｍＰ９７は、ＷｅｂＳｅｒｖｅｒＨ９６に搭載するソフトウェアで、電子メールの利用形態をコントロールし、その利用状況を記録し、報告する機能を有するものである。
【００４２】
情報システムＳ９の構成要素六は、情報端末Ｈ９１とＭａｉｌＳｅｒｖｅｒＨ９２とＭａｉｌＳｅｒｖｅｒＨ９３と情報端末Ｈ９４とＭａｉｌＳｅｒｖｅｒＨ９５とＷｅｂＳｅｒｖｅｒＨ９６とを連結し、情報伝達の役割を果すネットワークである。
【００４３】
図１２は、情報システムＳ９の電子メール送受信の情報流れを示すものである。その情報流れは、Ｆ９１とＦ９２とＦ９３とＦ９４とＦ９５とＦ９６により構成される。Ｆ９１は、主動的者が情報端末Ｈ９１とＭａｉｌｅｒＰ９１を利用して電子メールを作成し、ＭａｉｌＳｅｒｖｅｒＨ９２とＭａｉｌＳｙｓｔｅｍＰ９２に送信するプロセスである。Ｆ９２は、ＭａｉｌＳｅｒｖｅｒＨ９２とＭａｉｌＳｙｓｔｅｍＰ９２が受取った電子メールをＭａｉｌＳｅｒｖｅｒＨ９５とＭａｉｌＳｙｓｔｅｍＰ９６に伝送するプロセスである。Ｆ９３は、ＭａｉｌＳｅｒｖｅｒＨ９６と管理ＳｙｓｔｅｍＰ９７がＭａｉｌＳｅｒｖｅｒＨ９５とＭａｉｌＳｙｓｔｅｍＰ９６からその電子メールを自動的に検知し、受取って処理するプロセスである。ＭａｉｌＳｅｒｖｅｒＨ９６と管理ＳｙｓｔｅｍＰ９７が、自動的にその電子メールの内容を抽出し、データベースに記録し、管理する。それと共に、ＭａｉｌＳｅｒｖｅｒＨ９６と管理ＳｙｓｔｅｍＰ９７が、受動的者がその電子メールを閲覧するための専用のソフトウェアＶｉｅｗｅｒＰ９５を自動的に作成する。Ｆ９４は、ＭａｉｌＳｅｒｖｅｒＨ９６と管理ＳｙｓｔｅｍＰ９７が、その作成したＶｉｅｗｅｒＰ９５を電子メールとしてＭａｉｌＳｅｒｖｅｒＨ９３とＭａｉｌＳｙｓｔｅｍＰ９３に送信するプロセスである。Ｆ９５は、受動的者が情報端末Ｈ９４とＭａｉｌｅｒＰ９４を利用して、ＭａｉｌＳｅｒｖｅｒＨ９３とＭａｉｌＳｙｓｔｅｍＰ９３からＶｉｅｗｅｒＰ９５を受信するプロセスである。Ｆ９６は、受動的者がその受信したＶｉｅｗｅｒＰ９５を開いて、管理ＳｙｓｔｅｍＰ９７が管理する下で、主動的者が送信した電子メールの内容を閲覧するプロセスである。
【００４４】
図１３は、情報システムＳ９の利用状況報告信の情報流れを示すものである。その情報流れは、Ｆ９７とＦ９８とＦ９９により構成される。Ｆ９７は、ＭａｉｌＳｅｒｖｅｒＨ９６と管理ＳｙｓｔｅｍＰ９７が自動的にその利用状況を電子メールの形でＭａｉｌＳｅｒｖｅｒＨ９５とＭａｉｌＳｙｓｔｅｍＰ９６に送信するプロセスである。Ｆ９８は、ＭａｉｌＳｅｒｖｅｒＨ９５とＭａｉｌＳｙｓｔｅｍＰ９６が受取った報告をＭａｉｌＳｅｒｖｅｒＨ９２とＭａｉｌＳｙｓｔｅｍＰ９２に伝送するプロセスである。Ｆ９９は、主動的者が情報端末Ｈ９１とＭａｉｌｅｒＰ９１を利用してその報告を受取って閲覧し、送信した電子メールの利用状況を把握するプロセスである。
【００４５】
【発明の効果】
本発明によれば、主動的者が相手に伝えようとする意思を効率よく、且つ確実に、且つ安心できるようにその相手に伝えることができる。
【図面の簡単な説明】
【図１】主動的情報活動及びその構成要素を示す図である。
【図２】主動的実現手段とする従来の情報システムＳ１及びその構成要素を示す図である。
【図３】従来の情報システムＳ１で処理される情報及びその構成要素を示す図である。
【図４】従来の情報システムＳ１の実例とする電子メール伝達システム及びその構成要素を示す図である。
【図５】主動的実現手段とする本発明の情報システムＳ２及びその構成要素を示す図である。
【図６】本発明の意思導出手段Ｓ３及びその構成要素を示す図である。
【図７】本発明の意思導入手段Ｓ４及びその構成要素を示す図である。
【図８】本発明の情報システムＳ２で処理される形態Ｍの情報及びその構成要素を示す図である。
【図９】主動的実現手段とする本発明の情報システムＳ５及びその構成要素を示す図である。
【図１０】主動的実現手段とする本発明の情報システムＳ７及びその構成要素を示す図である。
【図１１】主動的実現手段とする本発明の情報システムＳ９及びそのハードウェアとソフトウェアの構成要素を示す図である。
【図１２】主動的実現手段とする本発明の情報システムＳ９及びその電子メール送信の情報流れを示す図である。
【図１３】主動的実現手段とする本発明の情報システムＳ９及びその電子メールの利用状況報告の情報流れを示す図である。
【符号の説明】
Ｆ９１  情報システムＳ９情報流れ
Ｆ９２  情報システムＳ９情報流れ
Ｆ９３  情報システムＳ９情報流れ
Ｆ９４  情報システムＳ９情報流れ
Ｆ９５  情報システムＳ９情報流れ
Ｆ９６  情報システムＳ９情報流れ
Ｆ９７  情報システムＳ９情報流れ
Ｆ９８  情報システムＳ９情報流れ
Ｆ９９  情報システムＳ９情報流れ
Ｈ９１  情報システムＳ９での情報端末
Ｈ９２  情報システムＳ９でのコンピューター
Ｈ９３  情報システムＳ９でのコンピューター
Ｈ９４  情報システムＳ９での情報端末
Ｈ９５  情報システムＳ９でのコンピューター
Ｈ９６  情報システムＳ９でのコンピューター
Ｉ１１  主動的者が相手に伝えようとする意思
Ｉ１２  情報システムＳ１で処理される情報
Ｉ１３  情報システムＳ１で処理される情報
Ｉ１４  受動的者に伝えた意思
Ｉ２１  主動的者が相手に伝えようとする意思
Ｉ２２  情報システムＳ２で処理される情報
Ｉ２３  情報システムＳ２で処理される情報
Ｉ２４  受動的者に伝えた情報の内容
Ｉ２５  受動的者に伝えた意思
Ｉ２６  情報システムＳ２で処理される情報
Ｉ２７  情報システムＳ２で処理される情報
Ｉ２８  主動的者に伝えた利用状況
Ｉ３１  意思導出者が相手に伝えようとする意思
Ｉ３２  意思導出手段Ｓ３で処理される情報
Ｉ３３  意思導出手段Ｓ３で処理される情報
Ｉ３４  意思導出手段Ｓ３で処理される情報
Ｉ３５  意思導出者に伝えた理解の状況
Ｉ３６  意思導出者が校正しようとする意思
Ｉ３７  意思導出手段Ｓ３で処理される情報
Ｉ４１  意思導入手段Ｓ４で処理される情報
Ｉ４２  意思導入手段Ｓ４で処理される情報
Ｉ４３  意思導入者が受取った意思
Ｉ４４  意思導入手段Ｓ４で処理される情報
Ｉ４５  意思導入者に伝えた確認の内容
Ｉ４６  意思導入者の理解状況
Ｉ４７  意思導入手段Ｓ４で処理される情報
Ｉ５１  主動的者が相手に伝えようとする意思
Ｉ５２  情報システムＳ５で処理される情報
Ｉ５３  情報システムＳ５で処理される情報
Ｉ５４  受動的者に伝えた情報の内容
Ｉ５５  受動的者に伝えた意思
Ｉ５６  情報システムＳ５で処理される情報
Ｉ５７  情報システムＳ５で処理される情報
Ｉ５８  主動的者に伝えた利用状況
Ｉ７１  主動的者が相手に伝えようとする意思
Ｉ７２  情報システムＳ７で処理される情報
Ｉ７３  情報システムＳ７で処理される情報
Ｉ７４  受動的者に伝えた情報の内容
Ｉ７５  受動的者に伝えた意思
Ｉ７６  情報システムＳ７で処理される情報
Ｉ７７  情報システムＳ７で処理される情報
Ｉ７８  主動的者に伝えた利用状況
Ｉ７９  受動的者が相手に伝えようとする意思
Ｉ７Ａ  情報システムＳ７で処理される情報
Ｉ７Ｂ  情報システムＳ７で処理される情報
Ｉ７Ｃ  情報システムＳ７で処理される情報
Ｉ７Ｄ  主動的者に伝えた意思
Ｉｎｔｅｒｎｅｔ  ネットワーク
Ｍ      本発明の情報形態
Ｐ１１  情報システムＳ１での情報作成手段
Ｐ１２  情報システムＳ１での情報伝達手段
Ｐ１３  情報システムＳ１での情報表現手段
Ｐ２１  情報システムＳ２での意思導出手段
Ｐ２２  情報システムＳ２での情報伝達手段
Ｐ２３  情報システムＳ２での情報表現手段
Ｐ２４  情報システムＳ２での意思導入手段
Ｐ２５  情報システムＳ２での情報管理手段
Ｐ２６  情報システムＳ２での情報表現手段
Ｐ３１  意思導出手段Ｓ３での情報表現手段
Ｐ３２  意思導出手段Ｓ３での情報理解手段
Ｐ３３  意思導出手段Ｓ３での質問手段
Ｐ３４  意思導出手段Ｓ３での回答手段
Ｐ４１  意思導入手段Ｓ４での意思伝導手段
Ｐ４２  意思導入手段Ｓ４での情報表現手段
Ｐ４３  意思導入手段Ｓ４での質問手段
Ｐ４４  意思導入手段Ｓ４での回答手段
Ｐ５１  情報システムＳ５での意思表現手段
Ｐ５２  情報システムＳ５での情報伝達手段
Ｐ５３  情報システムＳ５での情報管理手段
Ｐ５４  情報システムＳ５での情報表現手段
Ｐ５５  情報システムＳ５での情報表現手段
Ｐ５６  情報システムＳ５での情報表現手段
Ｐ７１  情報システムＳ７での意思表現手段
Ｐ７２  情報システムＳ７での情報伝達手段
Ｐ７３  情報システムＳ７での情報管理手段
Ｐ７４  情報システムＳ７での情報表現手段
Ｐ７５  情報システムＳ７での情報表現手段
Ｐ７６  情報システムＳ７での情報表現手段
Ｐ７７  情報システムＳ７での意思表現手段
Ｐ７８  情報システムＳ７での情報表現手段
Ｐ９１  情報システムＳ９でのソフトウェア
Ｐ９２  情報システムＳ９でのソフトウェア
Ｐ９３  情報システムＳ９でのソフトウェア
Ｐ９４  情報システムＳ９でのソフトウェア
Ｐ９５  情報システムＳ９でのソフトウェア
Ｐ９６  情報システムＳ９でのソフトウェア
Ｐ９７  情報システムＳ９でのソフトウェア
Ｒ      従来の情報形態
Ｓ１    従来の主動的な情報活動の実現手段とする情報システム
Ｓ２    本発明の主動的な情報活動の実現手段とする情報システム
Ｓ３    本発明の意思導出手段
Ｓ４    本発明の意思導入手段
Ｓ５    本発明の主動的な情報活動の実現手段とする情報システム
Ｓ７    本発明の主動的な情報活動の実現手段とする情報システム
Ｓ９    本発明の主動的な情報活動の実現手段とする情報システム
【図１】
2004318792.tif 000003
【図２】
2004318792.tif 000004
【図３】
2004318792.tif 000005
【図４】
2004318792.tif 000006
【図５】
2004318792.tif 000007
【図６】
2004318792.tif 000008
【図７】
2004318792.tif 000009
【図８】
2004318792.tif 000010
【図９】
2004318792.tif 000011
【図１０】
2004318792.tif 000012
【図１１】
2004318792.tif 000013
【図１２】
2004318792.tif 000014
【図１３】
2004318792.tif 000015